(57)【要約】      （修正有）【課題】高い放熱効率及び優れた放熱安定性を有する発光ダイオードランプ、発光ダイオードモジュール及びその放熱器を提供する。【解決手段】発光ダイオードランプは、熱伝導性及び電気絶縁性を有する材料からなり且つ相対向する第一表面３２２ａ及び第二表面３２２ｂを有する基板３２２及び複数の放熱フィン３２４を備え、前記基板の第一表面３２２ａには、電気回路が形成され、前記基板の第二表面３２２ｂには、前記複数の放熱フィン３２４が設置される放熱器と、少なくとも１つの発光ダイオード３４と、を備える発光ダイオードモジュール３０と、ランプホルダー１０と、駆動回路２０と、を備え、前記少なくとも１つの発光ダイオード３４は前記基板の第一表面３２２ａに設置されて、前記少なくとも１つの発光ダイオード３４の電極は前記電気回路に電気接続する。【選択図】図１
2011222941.tif 000002
【特許請求の範囲】
【請求項１】
熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置されることを特徴とする放熱器。
【請求項２】
熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置される放熱器と、少なくとも１つの発光ダイオードと、を備えてなる発光ダイオードモジュールであって、前記少なくとも１つの発光ダイオードは前記基板の第一表面に設置されて、前記少なくとも１つの発光ダイオードの電極は前記電気回路に電気接続することを特徴とする発光ダイオードモジュール。
【請求項３】
熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置される放熱器と、少なくとも１つの発光ダイオードと、を備える発光ダイオードモジュールと、ランプホルダーと、駆動回路と、を備えてなる発光ダイオードランプであって、前記少なくとも１つの発光ダイオードは前記基板の第一表面に設置されて、前記少なくとも１つの発光ダイオードの電極は前記電気回路に電気接続することを特徴とする発光ダイオードランプ。
【請求項４】
前記放熱器は、前記基板の第二表面に設置される中空ポストをさらに備え、前記複数の放熱フィンは、前記中空ポストの外周面を囲んで前記中空ポストの長手方向に沿って延在して形成されることを特徴とする請求項３に記載の発光ダイオードランプ。
【請求項５】
前記中空ポストにおける前記基板から離れている端部は、前記ランプホルダーに固定されることを特徴とする請求項４に記載の発光ダイオードランプ。
【請求項６】
前記駆動回路は、前記中空ポストの内部に収容され、
前記基板には、前記第一表面及び第二表面を貫通するスルーホールが設けられ、前記少なくとも１つの発光ダイオードは、前記スルーホールによって前記駆動回路に電気接続することを特徴とする請求項５に記載の発光ダイオードランプ。
【請求項７】
前記発光ダイオードランプは、透明なランプカバーをさらに備え、前記基板の第一表面には、組立溝が開設され、前記ランプカバーは、前記組立溝に組立てられて前記少なくとも１つの発光ダイオードを覆うことを特徴とする請求項３に記載の発光ダイオードランプ。
【発明の詳細な説明】
【技術分野】
【０００１】
本発明は、ランプに関し、特に発光ダイオードランプ、発光ダイオードモジュール及びその放熱器に関するものである。
【背景技術】
【０００２】
現在、発光ダイオード（Ｌｉｇｈｔ  Ｅｍｉｔｔｉｎｇ  Ｄｉｏｄｅ、ＬＥＤ）は、いろいろな領域に広く応用される。発光ダイオードは、可視光のような特定の波長の光線を出射することができる。しかし、発光ダイオードが吸収した大部分のエネルギーは、熱量に変換され、その残りの部分のエネルギーだけが光エネルギーに変換される。したがって、発光ダイオードの正常な作動を確保するためには、発光ダイオードが発光する時に発生する熱量を即時に放熱しなければならない。
【０００３】
発光ダイオードが発光する時に発生する熱量を即時に放熱させるために、従来の発光ダイオードランプは、一般的に発光ダイオードを電気回路基板の表面に設置し、且つ熱伝導コロイドによって前記電気回路基板の前記発光ダイオードに背離する表面を金属放熱器に貼設する。しかし、前記発光ダイオードと前記金属放熱器との間には、電気回路基板及び熱伝導コロイドの二層の材料が存在するため、前記発光ダイオードと前記金属放熱器との間の熱抵抗は、依然として大きく、前記発光ダイオードの放熱効果が比較的悪い。なお、前記発光ダイオードランプを使用していると、前記熱伝導コロイドの熱抵抗はますます大きくなるため、前記発光ダイオードの放熱安定性に影響する。
【発明の概要】
【発明が解決しようとする課題】
【０００４】
本発明の目的は、前記課題を解決し、高い放熱効率及び優れた放熱安定性を有する発光ダイオードランプ、発光ダイオードモジュール及びその放熱器を提供することにある。
【課題を解決するための手段】
【０００５】
本発明に係る放熱器は、熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置されることを特徴とする。
【０００６】
本発明に係る発光ダイオードモジュールは、熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置される放熱器と、少なくとも１つの発光ダイオードと、を備え、前記少なくとも１つの発光ダイオードは前記基板の第一表面に設置されて、前記少なくとも１つの発光ダイオードの電極は前記電気回路に電気接続することを特徴とする。
【０００７】
本発明に係る発光ダイオードランプは、熱伝導性及び電気絶縁性を有する材料からなり且つ相対向する第一表面及び第二表面を有する基板及び複数の放熱フィンを備え、前記基板の第一表面には、電気回路が形成され、前記基板の第二表面には、前記複数の放熱フィンが設置される放熱器と、少なくとも１つの発光ダイオードと、を備える発光ダイオードモジュールと、ランプホルダーと、駆動回路と、を備え、前記少なくとも１つの発光ダイオードは前記基板の第一表面に設置されて、前記少なくとも１つの発光ダイオードの電極は前記電気回路に電気接続することを特徴とする。
【発明の効果】
【０００８】
従来の技術と比べて、本発明に係る発光ダイオードランプは、高熱伝導性及び電気絶縁性を有する材料からなる放熱器基板の表面に電気回路を直接形成し、且つ発光ダイオードを前記電気回路に設置させて、前記発光ダイオードと前記放熱器との間の熱抵抗を減少し、前記発光ダイオードの放熱効率及び放熱安定性を効果的に向上させる。
【図面の簡単な説明】
【０００９】
【図１】本発明に係る発光ダイオードランプの分解図である。
【図２】図１に示す発光ダイオードランプの別の視角からの分解図である。
【図３】図１に示す発光ダイオードランプの組立図である。
【発明を実施するための形態】
【００１０】
以下、図面を参照して、本発明の実施例について説明する。
【００１１】
図１乃至図３を参照すると、本発明の実施例に係る発光ダイオードランプ１００は、ランプホルダー１０、駆動回路２０、発光ダイオードモジュール３０及びランプカバー４０を備える。
【００１２】
前記ランプホルダー１０は、前記駆動回路２０及び前記発光ダイオードモジュール３０を固定するために用いられる固定部１２と、前記固定部１２の一端を貫かせ且つ外部の電源に電気接続するために用いられる電気コネクタ１４と、を備える。
【００１３】
前記駆動回路２０は、前記ランプホルダー１０と前記発光ダイオードモジュール３０との間に設置されており、且つ前記ランプホルダー１０の電気コネクタ１４及び前記発光ダイオードモジュール３０に電気接続して前記発光ダイオードモジュール３０に駆動電圧を提供するために用いられる。
【００１４】
前記発光ダイオードモジュール３０は、放熱器３２及び少なくとも１つの発光ダイオード３４を備える。本実施例において、前記発光ダイオードモジュール３０は、５つの発光ダイオード３４を有する。他の実施例において、前記発光ダイオードモジュール３０の発光ダイオード３４の数量は、５つに限定されるものではない。
【００１５】
前記放熱器３２は、相対向して設置される第一表面３２２ａ及び第二表面３２２ｂを有する基板３２２と、前記基板３２２の第二表面３２２ｂに設置される中空ポスト３２６と、前記第二表面３２２ｂに設置され且つ前記中空ポスト３２６の外周面を囲んで前記中空ポスト３２６の長手方向に沿って延在して形成される複数の放熱フィン３２４を備える。前記第一表面３２２ａは、前記ランプホルダー１０から離れており、前記第二表面３２２ｂは、前記ランプホルダー１０に対面する。前記第一表面３２２ａには、電気回路が形成されている。前記少なくとも１つの発光ダイオード３４は、前記基板３２２の第一表面３２２ａに設置され、且つ前記少なくとも１つの発光ダイオード３４の電極は前記電気回路に電気接続される。前記基板３２２の前記第一表面３２２ａに電気回路を形成する方法は、電気鍍金の方法を採用することが好ましい。前記基板３２２は、セラミックなどのような高熱伝導性及び電気絶縁性を有する材料からなる。前記セラミックは、酸化アルミニウム、窒化アルミニウム又は両者の混合物から選択することが好ましい。前記第一表面３２２ａには、前記発光ダイオード３４を囲んで前記ランプカバー４０を設置するために用いられる組立溝３２２ｃが開設される。前記基板３２２には、前記第一表面３２２ａ及び第二表面３２２ｂを貫通する少なくとも１つのスルーホール３２２ｄが設けられる。前記発光ダイオード３４は、前記スルーホール３２２によって前記駆動回路２０に電気接続する。
【００１６】
本実施例において、前記複数の放熱フィン３２４、前記中空ポスト３２６及び前記基板３２２は、同じ材料を採用して一体に成型される。前記中空ポスト３２６における前記基板３２２から離れている端部は、前記ランプホルダー１０の固定部１２における前記電気コネクタ１４から離れている端部に固定される。前記駆動回路２０は、前記中空ポスト３２６の内部に収容されて、前記発光ダイオードランプ１００の体積を縮小することができる。
【００１７】
前記中空ポスト３２６は、主に前記放熱器３２を前記ランプホルダー１０に固定するとともに前記駆動回路２０を収容するために用いられる。他の実施例において、前記放熱器３２と前記ランプホルダー１０との固定方式及び前記駆動回路２０の設置位置は、本実施例の方式に限定されるものではない。
【００１８】
前記ランプカバー４０は、略半球状であり、ガラス及びプラスチックなどのような透明材料からなる。
【００１９】
本実施例において、前記発光ダイオードランプ１００は、高熱伝導性及び電気絶縁の材料によって製造した放熱器の基板の表面に電気回路を直接形成し、且つ、発光ダイオードを前記電気回路に設置している。従って、発光ダイオード及び放熱器の間の熱抵抗を減少し、発光ダイオードの放熱の効率及び放熱の安定性を有効的に向上させることができる。
【符号の説明】
【００２０】
１００  発光ダイオードランプ
１０  ランプホルダー
１２  固定部
１４  電気コネクタ
２０  駆動回路
３０  発光ダイオードモジュール
３２  放熱器
３４  発光ダイオード
３２２  基板
３２４  放熱フィン
３２６  中空ポスト
３２２ａ  第一表面
３２２ｂ  第二表面
３２２ｃ  組立溝
３２２ｄ  スルーホール
４０  ランプカバー
【図１】
2011222941.tif 000003
【図２】
2011222941.tif 000004
【図３】
2011222941.tif 000005